(57)【要約】【課題】既に化粧品が塗布されているか否かにかかわらず、睫毛及び／又は眉毛に別の化粧の効果を施すことができる有利な装置を提供することである。【解決手段】２つの捩じり合わされた枝で作られたコアで構成されていない支持体と、軸線に沿って延びる少なくとも１列の突起要素とを備える、睫毛及び／又は眉毛を梳くため及び／又は化粧品をそれらに塗布するための装置であって、この列が、少なくとも第１の群（１５）の実質的に一定の相互間隔である少なくとも３つの連続する突起要素（１２ａ、１２ｂ）と、第１の群の外側の第４の突起要素（１２a）とを備え、第４の突起要素が、第１の群の３つの突起要素間の間隔（ｅ）より大きい距離（ｄ）にわたり列の軸線に沿って延びるギャップ（１６）だけ、第１の群（１５）から間隔を置いて配置されている。【選択図】図１
2006116363.tif 000002
【特許請求の範囲】
【請求項１】
２つの捩じり合わされた枝で作られたコアで構成されていない支持体と、
軸線（Ｘ）に沿って延びる少なくとも１列の突起要素であって、
実質的に一定の相互間隔の少なくとも３つの連続する突起要素（１２ａ、１２ｂ）を有する少なくとも第１の群（１５）と、
前記第１の群の外側の第４の突起要素（１２ａ）と、
を含む突起要素と、
を含み、
前記第４の突起要素は、前記第１の群の３つの突起要素の間の間隔（ｅ）よりも大きい距離（ｄ）にわたり列の軸線に沿って延びるギャップ（１６）だけ、前記第１の群（１５）から間隔を隔てて配置されていることを特徴とする、睫毛及び／又は眉毛を梳く及び／又はそれに化粧品を塗布するための装置。
【請求項２】
２つの捩じり合わされた枝で構成されているコア以外の支持体の縦の軸線に沿って実質的に一直線の少なくとも１列の突起要素（１２ａ、１２ｂ）を含み、
前記列は、
互いに隣接する少なくとも２つの連続する突起要素を有する少なくとも第１の群（１５）と、
前記第１の群の外側の第３の突起要素（１２ａ）と、
を含み、
前記第３の突起要素は、縦の軸線に沿って測定した距離（ｄ）にわたり延びるギャップ（１６）だけ前記第１の群（１５）から間隔を隔てて配置されており、前記ギャップ（１６）は、前記縦の軸線に沿って測定した前記第１の群の２つの隣接する突起要素の間の間隔（ｅ）よりも大きいことを特徴とする、睫毛及び／又は眉毛を梳く及び／又はそれに化粧品を塗布するための装置。
【請求項３】
縦の軸線に沿って延び、支持体の一方側に位置する面を呈する少なくとも１つの細長い支持体（１１）と、
前記面に連結された基部を有する少なくとも１列の突起要素（１２ａ、１２ｂ）と、
を含み、
前記基部の少なくとも１つは、前記支持体の縦の軸線に対して傾斜せずに延びており、
前記列は、互いに隣接する少なくとも２つの連続する突起要素を有する少なくとも第１の群（１５）と、前記第１の群の外側の第３の突起要素（１２ａ）とを含み、前記第３の突起要素は、縦の軸線に沿って測定した距離（ｄ）にわたり延びるギャップ（１６）だけ前記第１の群（１５）から間隔を隔てて配置されており、前記ギャップ（１６）は、前記第１の群の２つの隣接する突起要素の間の間隔（ｅ）よりも大きいことを特徴とする、睫毛及び／又は眉毛を梳く及び／又はそれに化粧品を塗布するための装置。
【請求項４】
各々の突起要素は、縦の軸線に沿って細長く、前記縦の軸線に対して垂直な平面において非矩形断面の基部を呈することを特徴とする請求項３に記載の装置。
【請求項５】
各々の突起要素は、縦の軸線に沿って細長く、前記縦の軸線に垂直な平面において矩形断面の基部を呈し、前記矩形断面は、前記列の軸線に実質的にゼロに等しい角度を成す方向か、あるいは前記軸線に実質的に垂直である方向に延びることを特徴とする請求項３に記載の装置。
【請求項６】
前記列の軸線は、前記突起要素が連結されている前記支持体の軸線に実質的に平行であることを特徴とする前記請求項のいずれか１項に記載の装置。
【請求項７】
前記第１の群の外側の前記突起要素は、突起要素の第２の群（１５’）に属することを特徴とする請求項１〜６のいずれか１項に記載の装置。
【請求項８】
前記第１の群の外側の前記突起要素（１２ａ）は、第２の群（１５'）の隣接する突起要素（１２ｂ）から前記ギャップの長さ（ｄ）よりも短い間隔だけ間隔を隔てて配置されていることを特徴とする請求項１〜７のいずれか１項に記載の装置。
【請求項９】
前記第２の群（１５'）内の前記突起要素の間の間隔は、実質的に前記第１の群（１５）の前記突起要素の間の間隔（ｅ）に等しいことを特徴とする請求項８のいずれか１項に記載の装置。
【請求項１０】
前記第１の群（１５）の各突起要素は、前記ギャップ（１６）の前記長さ（ｄ）よりも長い距離にわたって延びることを特徴とする請求項１〜９のいずれか１項に記載の装置。
【請求項１１】
前記第１の群の少なくとも２つの突起要素及び前記第１の群の外側の前記突起要素は、前記列の軸線に沿って実質的に同一ピッチ（ｅ）の倍数の位置をそれぞれ占めることを特徴とする請求項１〜１０のいずれか１項に記載の装置。
【請求項１２】
規則的に間隔を隔てて配置された突起要素の複数の群（１５、１５’）を有することを特徴とする請求項１〜１１のいずれか１項に記載の装置。
【請求項１３】
前記突起要素は、全て同一の形状であることを特徴とする請求項１〜１２のいずれか１項に記載の装置。
【請求項１４】
前記列が、少なくとも２つの異なる形状の突起要素を有することを特徴とする請求項１から１２のいずれか１項に記載の装置。
【請求項１５】
前記列をその軸線に実質的に垂直な方向から見ると、側面から見て実質的に三角形の歯で構成されている突起要素を含むことを特徴とする請求項１〜１４のいずれか１項に記載の装置。
【請求項１６】
少なくとも２つの歯は、異なる傾斜を呈することを特徴とする請求項１５に記載の装置。
【請求項１７】
前記列をその軸線に実質的に垂直な方向から見ると、全て側面が三角形である歯の列を含み、少なくとも２つの歯は、異なる高さである、及び／又は基部が異なる幅であることを特徴とする請求項１〜１６のいずれか１項に記載の装置。
【請求項１８】
少なくとも２つの群（１５、１５’）の突起要素と、前記群の間の少なくとも１つの起伏部（７０）を含むことを特徴とする請求項１〜１７のいずれか１項に記載の装置。
【請求項１９】
前記列を側面から見ると、１つの群の突起要素の少なくとも２つの突起要素は、共に実質的にＶ形の溝（５２、７１）を形成することを特徴とする請求項１〜１８のいずれか１項に記載の装置。
【請求項２０】
少なくとも２列の突起要素を有することを特徴とする請求項１〜１９のいずれか１項に記載の装置。
【請求項２１】
少なくとも一方の列の突起要素と他方の列の突起要素とは、異なる方向に延びることを特徴とする請求項２０に記載の装置。
【請求項２２】
前記突起要素の高さは、０．５ｍｍから１０ｍｍまでの範囲、詳細には１ｍｍから３ｍｍまでの範囲であることを特徴とする請求項１〜２１のいずれか１項に記載の装置。
【請求項２３】
前記突起要素の列は、少なくとも部分的には、幾何学的に別個の表面の反対側に交互に延びる少なくとも一連の突起要素を含むことを特徴とする請求項１〜２２のいずれか１項に記載の装置。
【請求項２４】
前記列の前記突起要素は、実質的に一直線の基部を有することを特徴とする請求項１〜２３のいずれか１項に記載の装置。
【請求項２５】
相互に移動可能な突起要素を支える２つの部分（１４１、１４２）を有することを特徴とする請求項１から２３のいずれか１項に記載の装置。
【請求項２６】
前記列は、直線的でない軸線に沿って延びることを特徴とする請求項１〜２５のいずれか１項に記載の装置。
【請求項２７】
前記支持体（１００）は穴が開けられており、前記支持体の２つの対向する領域（１０１）の間に配置されている少なくとも１つの開口部を備え、前記少なくとも１つの列の突起要素は、少なくとも前記領域の一方側に連結され、前記列の前記突起要素は、前記領域の他方側に向かって延びることを特徴とする請求項１〜２６のいずれか１項に記載の装置。
【請求項２８】
前記支持体に固定された剛毛束で構成されている突起要素を含み、前記支持体は、２つのワイヤの捩じり合わせた枝で構成されているコア以外であることを特徴とする請求項１〜２７のいずれか１項に記載の装置。
【請求項２９】
前記支持体は、剛毛束が固定される少なくとも１つの孔を有することを特徴とする請求項２８に記載の装置。
【請求項３０】
プラスチック材料で作られた少なくとも１つの突起要素を含むことを特徴とする請求項１〜２９のいずれか１項に記載の装置。
【請求項３１】
前記少なくとも１つの列の突起要素の全ての突起要素は、プラスチック材料を成形することにより一体的に作られることを特徴とする請求項１〜３０のいずれか１項に記載の装置。
【請求項３２】
一端に握り要素を備えると共に他端に前記突起要素が連結される支持体を備えるロッドを含むことを特徴とする請求項１〜３１のいずれか１項に記載の装置。
【請求項３３】
前記支持体は、前記ロッドと一体成形されることを特徴とする請求項３２に記載の装置。
【請求項３４】
前記支持体は、エラストマー材料で作られることを特徴とする請求項１〜３３のいずれか１項に記載の装置。
【請求項３５】
睫毛及び／又は眉毛に塗布される化粧品（Ｐ）の補給品を含むことを特徴とする請求項１〜３４のいずれか１項に記載の装置。
【請求項３６】
前記化粧品の補給品は、容器（２１）内に収容されることを特徴とする請求項３５に記載の装置。
【請求項３７】
前記容器は、ワイパ部材（４０、１３０）を含むことを特徴とする請求項３６に記載の装置。
【請求項３８】
前記突起要素は、前記ワイパ部材を通過する場合に著しく曲がらないように構成されることを特徴とする請求項３７に記載の装置。
【請求項３９】
前記ワイパ部材は、エラストマーリップ（４０）を含むことを特徴とする請求項３８に記載の装置。
【請求項４０】
少なくとも１列の突起要素（２０１、２１２、２２２、２３２）、詳細には歯を含み、前記突起要素は、支持体の少なくとも１つの面に連結され、前記突起要素は、睫毛に化粧品をコーティングすると共に分離していない睫毛の束を形成するように、複数の睫毛がその間を通過できるギャップを残すように構成されることを特徴とする睫毛及び／又は眉毛に化粧品を塗布するための装置。
【請求項４１】
前記列は、６から１５の突起要素を含むことを特徴とする請求項４０に記載の装置。
【請求項４２】
２つの突起要素の間の間隔は、２．５ｍｍ以上であることを特徴とする請求項４０又は４１に記載の装置。
【請求項４３】
それぞれ２つの突起要素で形成されている一連の群（２１１、２２１）を含み、前記突起要素は、前記支持体の縦の軸線に沿って一直線にあり、２つの連続する群の間の間隔は、前記群内の前記突起要素の間の間隔よりも大きいことを特徴とする請求項４０に記載の装置。
【請求項４４】
２つの突起要素を有する一連の群（２２１）を含み、群内の各々の突起要素（２２２）は、前記群の他方の前記突起要素の方向に向かうことを特徴とする請求項４０から４３のいずれか１項に記載の装置。
【請求項４５】
マスカラを睫毛及び／又は眉毛に塗布する段階と、
請求項１から４４のいずれか１項に記載の装置を用いて睫毛及び／又は眉毛を梳き、分離されていない睫毛及び／又は眉毛の群を形成する段階と、
を含むことを特徴とする睫毛及び／又は眉毛を化粧するための方法。
【請求項４６】
請求項１から４４のいずれか１項に記載の装置の突起要素に化粧品を付加して、前記化粧品が、前記突起要素の間に形成されている少なくとも１つのギャップ内に存在するようにする段階と、
前記化粧品の付加されたギャップが睫毛及び／又は眉毛に接触させて、少なくとも２つの分離されていない睫毛及び／又は眉毛の組を形成するようにする段階と、
を含むことを特徴とする睫毛及び／又は眉毛を化粧するための方法。
【請求項４７】
コア（３１５）と、
少なくともその一部の周りで前記コアから半径方向に延びる剛毛（３１７）と、
前記ブラシの剛毛を有する部分の半分未満にわたって延びる少なくとも１つの切り欠き（３１２）と、
を含み、前記ブラシの前記切り欠きを横切る平面の断面が非円形であることを特徴とする化粧品を睫毛及び／又は眉毛に塗布するためのブラシ。
【請求項４８】
コア（３１５）と、
少なくともその一部の周りで前記コアから半径方向に延びる剛毛（３１７）と、
前記剛毛を支える前記ブラシ部分に作られている少なくとも１つの切り欠き（３１２）と、
を含み、前記切り欠きの少なくとも１つの領域が、実質的にゼロである長さの剛毛を有することを特徴とする化粧品を睫毛及び／又は眉毛に塗布するためのブラシ。
【請求項４９】
請求項４７又は４８に記載のブラシと、
睫毛及び／又は眉毛に塗布する化粧品（Ｐ）を収容する容器（３０２）と、
を含むことを特徴とする、化粧品をパッケージングすると共に睫毛及び／又は眉毛に化粧品を塗布するパッケージング及びアプリケータ装置。
【請求項５０】
前記切り欠きは、剛毛を切り取るか又は溶融することにより作られることを特徴とする請求項４７又は４８に記載のブラシを製造する方法。
【請求項５１】
ブラシ（３１０）に塗布する化粧品（Ｐ）、詳細にはマスカラを付加する段階であって、前記ブラシは、前記化粧品が蓄積することができる少なくとも１つの切り欠き（３１２）を呈し、前記切り欠きは、剛毛を支える前記ブラシ部分の長さの半分未満にわたって延びるようになっている段階と、
少なくとも１つの束の分離されていない睫毛及び／又は眉毛を形成するように、前記切り欠き内に収容されている前記化粧品を睫毛及び／又は眉毛に塗布する段階と、
を含むことを特徴とする化粧品（ｐ）を睫毛及び／又は眉毛に塗布する方法。
【発明の詳細な説明】
【技術分野】
【０００１】
本発明は、睫毛及び／又は眉毛のようなケラチン繊維を梳くため、及び／又はそれに化粧品、特にマスカラを塗布するための装置に関する。
また、本発明は、睫毛及び／又は眉毛に化粧品、特にマスカラを塗布するためのブラシに関する。
【背景技術】
【０００２】
以下の特許出願、欧州公開特許第１０７０４６５号、欧州公開特許第１０７０４６６号、欧州公開特許第１０７０４６６号、欧州公開特許第１０７０４６７号、欧州公開特許第１０７０４６８号、欧州公開特許第１１１５３０３号、欧州公開特許第１１１５３０４号、欧州公開特許１１１５３０５号、欧州公開特許第１１５７６２９号、欧州公開特許第１１５７６３２号、欧州公開特許第１１６９９４２号、及びフランス公開特許第２８１０８６１号には種々のアプリケータが提案されており、これらの開示内容は、引用によって本明細書に組み込まれている。
【０００３】
英国公開特許ＧＢ−Ａ−２１７０９９６号には、切り欠きが、その軸線の周りの螺旋状の通路に沿って延びるブラシ、及びブラシ全体に延びる一連の切り欠きを有するブラシが開示されている。英国公開特許第ＧＢ−Ａ−２１７０９９６号の主題は、睫毛を互いに固着させることなく、睫毛に均一にマスカラを塗布することができるマスカラアプリケータである。
【発明の開示】
【発明が解決しようとする課題】
【０００４】
既に化粧品が塗布されているか否かにかかわらず、睫毛及び／又は眉毛に別の化粧の効果を施すことができる有利な装置が必要とされている。
【課題を解決するための手段】
【０００５】
特に１つの様態において、本発明は、２つの互いに捩じり合わせた枝で作られたコア以外の支持体、及び軸線に沿って延びる少なくとも１列の突起要素を含む睫毛及び／又は眉毛を梳くための、及び／又は化粧品を塗布するための装置であって、前記列は、
少なくとも３つの実質的に相互に一定の間隔を隔てた連続する突起要素を有する少なくとも第１の群と、
第１の群の外側にある第４の突起要素と、
を含み、第４の突起要素は、第１の群から所定のギャップ、詳細には、第１の群の３つの突起要素の任意の１つと同じ突起要素をもたないギャップだけ間隔を隔てて配置されており、ギャップは、第１の群の３つの突起要素の間の間隔よりも大きい距離にわたって列の軸線に沿って延びる装置を提供する。
【０００６】
本発明の本実施形態において、突起要素は、任意の形状及び方向の基部を介して支持体に連結することができる。
【０００７】
別の様態において、本発明は、睫毛及び／又は眉毛を梳くため及び／又は化粧品を塗布するための装置であって、
２つの捩じり合わせた枝で構成されたコア以外の支持体の縦の軸線に沿って実質的に一直線にある少なくとも１列の突起要素を含み、
前記列は、少なくとも第１の群の少なくとも２つの互いに隣接する突起要素と、第１の群の外側にある第３の突起要素を含み、第１の群の外側にある第３の突起要素は、第１の群から縦の軸線に沿って測定した距離にわたって延びるギャップだけ間隔を隔てて配置されており、ギャップは、第１の群の２つの隣接する突起要素の間の間隔よりも大きく、第１の群の縦の軸線に沿って測定した長さよりも短くなっている装置を提供する。
【０００８】
別の様態において、本発明は、睫毛及び／又は眉毛を梳くため及び／又は化粧品を塗布するための装置であって、
縦の軸線に沿って延び、支持体の片側の面を呈する少なくとも１つの細長い支持体と、
支持体、詳細には前記面に連結されている基部を有する少なくとも１列の突起要素と、
を含み、
基部の少なくとも１つは、支持体の縦の軸線に対して傾斜せずに延びており、
前記列は、少なくとも２つの互いに隣接する突起要素及を有する少なくとも１つの群と、第１の群の外側の第３の突起要素とを有し、第３の突起要素は、第１の群からギャップ、詳細には、第１の群の突起要素と同じ突起要素をもたないギャップだけ間隔を隔てて配置され、ギャップは、縦の軸線に沿って測定した距離にわたって延び、第１の群の２つの隣接する突起要素の間の間隔よりも大きくなっている装置を提供する。
【０００９】
本発明の本実施形態において、第１の群の突起要素間の間隔は、第１の群が４以上の要素を有する場合は必ずしも一定である必要はない。例示的に、支持体は、単一の面に全ての突起要素が連結されることができ、他の実施例では、２つの実質的に反対側の面に、全ての突起要素が例えば交互に連結されることができる。
【００１０】
２つの突起要素間の間隔は、該当の突起要素の各々が単一の上端を有する場合にはその先端で測定することができる。突起要素の各々が上側に複数の端部を有する場合、例えば、突起要素の各々が、それぞれの毛束が支持体の孔に挿入されている構成である少なくとも２つの上側枝を有するような場合には、各突起要素の間の間隔は、その基部又はその孔の軸線の間で測定することができる。
【００１１】
本発明では、公知のアプリケータでは実現するのが比較的困難である化粧効果、詳細には睫毛又は眉毛の一部が集まって束になる化粧効果を非常に容易に実現できる。
各々の突起要素は、縦の軸線に沿って細長く、縦の軸線に対して垂直な平面において非矩形断面の基部を呈することができる。このような突起要素は、支持体の縦の軸線に対して傾斜することなく延びる。
【００１２】
また、各々の突起要素は、縦の軸線に沿って細長く、縦の軸線に垂直な平面において矩形断面の基部を呈し、支持体の縦の軸線に対して傾斜しおらず、即ち、列の軸線に実質的にゼロに等しい角度を成す方向か、あるいは軸線に実質的に垂直である方向に延びることができる。
列の軸線は、突起要素が連結された支持体の軸線に実質的に平行であってもよい。
第１の群の外側の突起要素は、第２の群の突起要素に属することができる。
【００１３】
第１の群の外側の突起要素は、第２の群内にある隣接する次の突起要素から、前記ギャップの長さよりも短い間隔だけ離れることができる。例示的に、この間隔は、第１の群の少なくとも２つの突起要素間の間隔と実質的に等しくてもよい。
第１の群の突起要素は、前記ギャップの長さより長い距離にわたり、列の軸線に沿って延びることができる。
支持体の縦の軸線は、直線又は非直線とすることができる。
列は、直線又は非直線の軸線に沿って延びることができる。
【００１４】
第１の群の少なくとも２つの突起要素及び第１の群の外側の突起要素は、列の軸線に沿って実質的に任意のピッチの倍数のそれぞれの位置を占める。第１の群の外側の突起要素が第１の群の突起要素から隔てられる距離は、例えば、前記ピッチの実質的に２倍又は３倍とすることができる。
【００１５】
この装置は、規則的に間隔を隔てて配置された突起要素の複数の群を含むことができる。任意の１つの群の突起要素から隣接する群までの距離は、一定であってもよく又は異なっていてもよい。
【００１６】
突起要素の全ては、同一の形状であってもよく又は異なっていてもよい。詳細には、この装置は、少なくとも２つの異なる形状の突起要素を備える列を有することができる。
【００１７】
装置は、軸線に実質的に垂直な方向から列を見ると、側面から見て実質的に三角形の歯で構成されている突起要素を有することができる。少なくとも２つの歯は、異なる傾斜を呈することができる。
【００１８】
装置は、軸線に実質的に垂直な方向から列を見ると、全て側面が三角形である歯の列を含み、少なくとも２つの歯は、異なる高さ及び／又は基部幅であってもよい。
【００１９】
装置は、少なくとも２つの群の突起要素と、群の間の少なくとも１つの起伏部を含むことができる。このような起伏部により、例えば、第１の群の突起要素と前記群の外側の突起要素との間に位置するギャップに化粧品を容易に保持できる。
【００２０】
列は、軸線に実質的に垂直な方向から見ると、少なくとも２つの突起要素は、その間に実質的にＶ形の溝を形成する。このような溝の下側は、例えば、溝を形成する突起要素が連結されている支持体からゼロでない距離に置くことができる。
【００２１】
装置は、少なくとも２つの列の突起要素を含むことができる。このような列の各々は、互いに実質的に一定の間隔で配置された少なくとも３つの連続な突起要素、及び３つの突起要素のうち最も近接する突起要素から突起要素間の距離よりも大きい距離だけ離れた第４の突起要素を含むことができる。
【００２２】
少なくとも２つの列は、例えば、実質的に平行とすることもできる。
少なくとも一方の列の突起要素と他方の列の突起要素とは、異なる方向に延びることができる。
【００２３】
突起要素の少なくとも１つは、起伏部及び／又は角張った部分を含む側面を有することができる。また、少なくとも１つの突起要素は、変形例として又は付加的にフロック加工することができる。
【００２４】
突起要素の群の少なくとも１つの突起要素は、群内の他の要素の大きさと実質的に異なる大きさとすることができる。突起要素の高さは、例えば、０．５ミリメートル（ｍｍ）から１０ｍｍまでの範囲、詳細には、１ｍｍから３ｍｍまでの範囲とすることができる。
【００２５】
列の突起要素は、実質的に一直線の基部を有することができる。基部が「実質的に一直線」と言う場合、連続した突起要素の各々の基部の一部が、連続する突起要素の基部を通過する線の第１の側に配置され、連続する突起要素の各々の基部の他の一部が前記線の反対側の第２の側に配置されることであり、前記線は、例えば、突起要素が配置されている支持部の縦の軸線に実質的に平行であることを理解されたい。
【００２６】
本発明を限定するものではないが、実質的に一直線の基部を備える突起要素を有する特定の実施形態において、連続した突起要素は、連続する突起要素の各々の基部の中心を直線が通過するように配置される。従って、３つの連続した突起要素の中心は、同一の直線上に存在することができる。
【００２７】
突起要素の列は、幾何学的に別個の表面の反対側に、少なくとも部分的に交互に延びる少なくとも一連の突起要素を含むことができる。
【００２８】
支持体は、それぞれ突起要素を支持する２つの部分を含むことができ、この部分は相対移動可能であり、使用者が、少なくとも２つの突起要素間の間隔を変更できるようになっている。これらの２つの移動部分は、幾何学的に別個の表面により分離されることができ、支持体の軸線に平行な方向に沿って互いに平行移動することができる。
突起要素の列は、壁の第１の側に配置された突起要素を含むことができ、この壁は第１の側とは反対側に第２の側を有し、第２の側は、その長さの少なくとも一部にわたって支持体に連結されている。
【００２９】
また、装置は、基部を介して相互に連結された第１の部分及び第２の部分を含み、複数の突起要素は支持体に配置されており、この支持体は、その長さの一部分にわたって基部に連結されている。
【００３０】
突起要素のための支持体は穴が開けられており、支持体の２つの対向する領域の間に少なくとも１つの開口部を備え、突起要素の少なくとも１つの列は、少なくとも領域の一方側に連結され、領域の他方側に向かって延びることができる。例示的に、支持体は、開口部の周りで閉じることができる。支持体は、平面であってもよく、又は平面でなくてもよい。
【００３１】
列は、支持体に固定された剛毛束で構成されている突起要素を備えることができ、この支持体は、２本のワイヤを互いに捩じり合わせた枝で構成されるコアとは異なる。支持体は、剛毛束を固定する少なくとも１つの孔を有することができる。
【００３２】
少なくとも１つの突起要素は、プラスチック材料で作ることができる。少なくとも１つの列の突起要素の全ての突起要素は、プラスチック材料で成形することにより、支持体の全部又は一部と一体に成形できる。プラスチック材料は、充填材、例えば、ケラチン繊維に接触したときに、突起要素のケラチン繊維上での摺動特性を改善するための材料、詳細には、ポリテトラフルオロエチレン、グラファイト、シリコン、二硫化モリブデン、及びその誘導体から選択した材料の充填材を含むことができる。また、充填材は、磁気粒子及び／又は殺菌剤、例えば金属塩を含むことができる。
【００３３】
装置は、一端に握り要素を備えると共に他端に少なくとも１つの列の突起要素が連結される支持体を備えるロッドを含むことができる。例示的に、支持体は、エラストマー材料又は他の材料でありロッドと一体成形でき、支持体をロッドに嵌合することもできる。
【００３４】
装置は、睫毛及び／又は眉毛に塗布する化粧品の補充品を含むことができる。化粧品の補充品は、例えば、容器に収容することができ、容器はワイパ部材を含むことができる。ワイパ部材は、例えばエラストマーリップを含むことができる。突起要素を作るプラスチック材料は、リップを作るプラスチック材料よりも高硬度とすることができる。
【００３５】
ワイパ部材は、少なくともギャップに小滴の化粧品を残すように構成することができる。例示的に、ワイパ部材は、ギャップに著しく係合しないように構成され、突起要素があることによりギャップに係合しないようにすることができる。
【００３６】
突起要素が連結される支持体は、支持体がワイパ部材を容易に通過するように構成された端部を有することができる。
【００３７】
また、化粧品の補充品は、例えば、液体に接触すると分散するのに適する化粧品ケークの形態であってもよい。
【００３８】
また、別の様態において、本発明は、睫毛及び／又は眉毛を化粧する方法であって、
マスカラを睫毛及び／又は眉毛に塗布する段階と、
前述の装置を用いて睫毛及び／又は眉毛を梳き、非分離の睫毛及び／又は眉毛の群を形成する段階と、
を含む方法を提供する。
【００３９】
別の様態において、本発明は、睫毛及び／又は眉毛を化粧する方法であって、
前述の装置の突起要素に化粧品を付加して、化粧品が前記ギャップに存在するようにする段階と、
化粧品の付加されたギャップを睫毛及び／又は眉毛に接触させて、少なくとも２つの分離されていない睫毛及び／又は眉毛の組を形成する段階と、
を含む方法を提供する。
【００４０】
詳細には、ギャップに存在する化粧品は、睫毛及び／又は眉毛をギャップ内に係合することにより、一体化することになっている睫毛及び／又は眉毛に堆積することができる。
【００４１】
また、別の様態において、本発明は、睫毛及び／又は眉毛を梳くため、及び／又はそれらに化粧品を塗布するための装置であって、
睫毛及び／又は眉毛を分離することができるように構成された少なくとも第１の群の突起要素と、
第1の群の外側の少なくとも１つの突起要素と、
を含み、この装置は、突起要素の群及びこの群の外側にある少なくとも１つの突起要素により、睫毛及び／又は眉毛を分離することなくその間に通過させることを特徴とする装置を提供する。
【００４２】
また、別の様態において、本発明は、睫毛及び／又は眉毛に化粧品を塗布するための櫛であって、この櫛は、列の軸線に沿って延びる少なくとも１列の歯を含み、この歯は、列の軸線に実質的に垂直な方向から櫛を見ると、実質的に３角形の側面を有し、この列は、櫛の端部から所定距離をあけて置かれている少なくとも２つの歯を含むと共に異なる形状を呈し、詳細には、異なる傾斜及び／又は高さを有することを特徴とする櫛を提供する。変形例において又は追加的に、列の歯は、列の歯の全てに関して一定でない間隔を隔てて互いに配置することができ、この間隔は、その先端又はその基部で測定する。このような櫛は、歯の間に異なる形状の隙間を呈し、新しい化粧効果を得ることができる。
【００４３】
別の様態において、本発明は、睫毛及び／又は眉毛に化粧品を塗布するための装置であって、この装置は、支持体の少なくとも１つの面に連結された少なくとも１列の突起要素、例えば歯を含み、この面は、支持体の一方側に置かれ、突起要素はその間に複数の睫毛を通過させ、睫毛に化粧品をコーティングし、分離されていない睫毛束を形成することができるギャップを形成するように構成されることを特徴とする装置を提供する。
【００４４】
１つの実施形態において、装置は、極めて大きな間隔を隔てて配置された少なくとも一連の突起要素を含み、要素の数は、例えば６から１５の範囲であり、例えば１０前後である。２つの突起要素の間の間隔は、例えば２．５ｍｍ以上とすることができ、例えば３ｍｍ前後である。
【００４５】
別の実施形態において、装置は、一連の群を含み、各々の群は２つの歯で形成され、その歯は支持体の縦の軸線に一直線にあり、２つの連続する群の間の間隔は、群内の各突起要素の間の間隔よりも大きい。歯は、支持体の縦の軸線に沿って一直線にあるので、群の２つの突起要素は、縦の軸線に平行となることができる。
別の実施形態において、装置は、一連の２つの突起要素の群を含み、群内の各々の突起要素は、群内の他方の突起要素の方向に向くようにされている。２つの突起要素の２つの端部は、例えば、睫毛がその間を容易に通過しないように十分に接近している。
突起要素が連結している支持体の１つの面は、支持体の縦の軸線に垂直に見ると、実質的に平面又は凹面又は凸面であってもよい。
【００４６】
別の様態において、本発明は、睫毛及び／又は眉毛を化粧する方法であって、  マスカラを睫毛及び／又は眉毛に塗布する段階と、
前述の装置を用いて睫毛及び／又は眉毛を梳き、分離されていない睫毛及び／又は眉毛の群を形成する段階と、
を含む方法を提供する。
【００４７】
別の様態において、本発明は、睫毛及び／又は眉毛を化粧する方法であって、
前述の装置の突起要素に化粧品を付加して、化粧品が前記ギャップに存在するようにする段階と、
化粧品の付加されたギャップを睫毛及び／又は眉毛に接触させて、少なくとも２つの分離されていない睫毛及び／又は眉毛の組を形成する段階と、
を含む方法を提供する。
【００４８】
また、１つの様態において、本発明は、ケラチン繊維に化粧品を塗布するためのブラシであって、
コアと、
少なくともその一部の周りでコアから半径方向に延びる剛毛と、
ブラシの剛毛を有する部分の半分未満にわたって延びる少なくとも１つの切り欠きと、
を含み、ブラシの切り欠きを横切る平面の断面が非円形であるブラシを提供する。
【００４９】
また、別の様態において、本発明は、睫毛及び／又は眉毛に化粧品を塗布するためのブラシであって、
コアと、
少なくともその一部の周りでコアから半径方向に延びる剛毛と、
ブラシの剛毛を有する部分に作られた少なくとも１つの切り欠きと、
を含み、切り欠きの少なくとも１つの領域は、実質的にゼロの長さの剛毛を有するブラシを提供する。
【００５０】
実質的にゼロの長さの剛毛を有するブラシ部分は、ブラシの剛毛を有する部分の長さよりも短い長さにわたってブラシに沿って延びることができる。
【００５１】
本発明の実施形態において、切り欠きは、ブラシのコアの周囲全体には延びない。
本発明のブラシには、非均一に化粧品を付加することができ、新規な化粧効果を得ることが可能になる。
【００５２】
ブラシは、睫毛及び／又は眉毛に塗布するための化粧品を収容する容器と共に用いることが好ましく、この容器には、ブラシが容器から出るときにブラシを拭き取るためのワイパ部材が設けられており、ワイパ部材は、切り欠きに化粧品を残すように構成されている。
【００５３】
詳細には、ワイパ部材の内側輪郭は、少なくともブラシを横切って延びる平面において、切り欠きを横切ることができる。
【００５４】
従って、ブラシは、切り欠きでは不完全に拭き取られることになり、ブラシを容器から取り出した後に切り欠きに存在する化粧品を用いて、化粧時に睫毛又は眉毛の束を形成することができる。
【００５５】
切り欠きは、ブラシの長さの一部のみにわたって延びており、剛毛は、よく拭き取られるため、剛毛には比較的化粧品がつかないままにしておくことができ、この剛毛は、睫毛又は眉毛を分離するのに用いるのに適する。
【００５６】
本発明の実施形態において、ワイパ部材は、輪郭が円形のワイパオリフィス、詳細には、コアから測定すると、切り欠きの下側を形成する剛毛の少なくとも一部の長さよりも大きい半径のオリフィスを備える。
切り欠きの断面の少なくとも一部は、ブラシに沿って移動すると一定の形状を呈することができ、詳細には、切り欠き全体の断面は、ブラシに沿って移動すると一定の形状を呈することができる。
【００５７】
例示的に、切り欠きは、円周方向には、少なくとも１つの実質的に半径方向の面により、詳細には、２つの実質的に半径方向の面により定めることができる。
【００５８】
また、切り欠きは、軸線方向には、ブラシのコアに垂直な平面に対して傾斜する少なくとも１つの面により、詳細には、ブラシのコアから離れるに従って広がる２つの面により定めることができる。
【００５９】
コアを横切って延びる断面において、切り欠きは、３６０°未満の範囲の角度とすることができる。切り欠きは、２０°から２００°までの範囲、詳細には、次の範囲の角度、即ち、４０°から５０°、１１０°から１３０°、１７０°から１９０°のいずれかであるブラシの軸線の周りの角度の範囲にわたって延びることができる。切り欠きは、軸線方向寸法よりも大きい円周方向寸法にわたって延びることができる。
【００６０】
切り欠きは、１．５ｍｍから６．５ｍｍまでの範囲、詳細には、２．５ｍｍよりも長い長さにわたってブラシに沿って延びることができる。例示的に、切り欠きの最大深さは、２．５ｍｍから４ｍｍまでの範囲とすることができる。
【００６１】
切り欠きは、ブラシの剛毛を支持する部分の長さの４／１０未満にわたって、例えば、この長さの３／１０未満にわたって延びることができる。
【００６２】
ブラシは、少なくとも２つの前述の切り欠きを有することができる。従って、例示的に、ブラシは、随意的に円周方向にオフセットした少なくとも２つの切り欠きを有することができる。ブラシは、直径方向に対向する少なくとも２つの切り欠きを有することもできる。少なくとも２つの切り欠きは、軸線方向にオフセットしてよく、オフセットしなくてもよい。ブラシは、円周方向及び軸線方向にもオフセットした少なくとも２つの切り欠きを有することができる。
【００６３】
ブラシの軸線に垂直な少なくとも１つの平面で見ると、ブラシは、３つの切り欠きを有することができる。
【００６４】
ブラシは、コアから離れて測定した長さが、例えば３．５ｍｍから９ｍｍまでの範囲の剛毛を有することができ、剛毛の直径は、例えば０．０６ｍｍから０．４ｍｍまでの範囲とすることができる。
【００６５】
ブラシは、その長さの少なくとも一部にわたって、横断面が円形の包絡線表面、詳細には、円筒形又は円錐形の表面を有することができる。
【００６６】
変形例において、ブラシは、その長さの少なくとも一部にわたって、横断面が多角形の包絡線表面、詳細には、正多角形、例えば、実質的に三角形又は正方形の形状の角柱表面を有することができる。
【００６７】
ブラシの大部分は、睫毛を分離するのに適するゾーンを有することができる。
従って、例えば、切り欠きで定められる容積は、例えば切り欠きの外側のブラシの包絡線が定める容積より少なくとも２倍だけ小さくすることができる。
【００６８】
本発明の特定の実施形態において、ブラシは、第２の端部が握り部材に連結されているロッドの第１の端部に連結することができる。握り部材は、容器に固定するのに、詳細には、緊密に固定するのに適切なものである。
【００６９】
従来の方法において、ブラシは、２つの互いに捩じり合わされたワイヤの枝で構成されたコアを有することができる。
【００７０】
また、コアは、２つの個別のブラシの個別のコアの一方を他方に巻きつけて形成することができ、個別のコアは互いに捩られている。各々の個別のコアは、２つの互いに捩じり合わせたワイヤの枝から従来の方法で作ることができる。
【００７１】
ブラシは、複数の切り欠きと、少なくとも１つの捩られたコアを有することができ、軸線方向に測定した切り欠きの間の距離は、コアが捩じられるピッチに相関がなくてもよい。
【００７２】
本発明の実施形態において、ブラシは、見る方向に対してブラシが第１の方向にある場合は、側面から見ると切り欠きがないように見え、同じ見る方向に対して第２の方向にある場合は、ブラシの上縁及び下縁に実質的に交互に配置された切り欠きがあるように見えるように構成された切り欠きを有し、第２の方向は、ロッドの軸線の周りに、第１の方向から１／４回転ブラシを回転させると得られる。
【００７３】
ブラシのコアは、直線である必要はなく、詳細には、ロッドの軸線に対して、ブラシの自由端に近づくと大きくなる角度で傾斜することができる。このような傾斜により、ブラシは、例えば人間工学的により優れたものにすることができる。
【００７４】
ワイパ部材は、少なくとも１つのエラストマー材料のリップを含むことができる。
切り欠きは、ブラシのコアの周り全体に延びることができる。
１つ又は複数の切り欠きは、剛毛を切り取ることにより作ることができる。
【００７５】
変形例においては、１つ又は複数の切り欠きは、剛毛を溶融することにより作ることができる。
【００７６】
ブラシは、認知できる程の螺旋効果が現れないように作ることができる。用語「螺旋効果」は、剛毛が実質的に螺旋シートに延びる傾向の意味で用いられる。螺旋効果を減らすために、剛毛は、コアの枝が捩じり合わされると、互いに絡まるように選択することができる。例示的に、剛毛は、比較的直径を小さく、例えば、１５／１００ｍｍ以下とすることができ、中空とすることもでき、柔らかい材料で作ることもでき、断面を円形ではなく、詳細には、１つ又はそれ以上の縦方向溝を有する断面とすることもできる。
【００７７】
別の様態において、本発明は、ブラシを作る方法であって、
加熱すると溶融する材料の剛毛を有するブラシを作る段階と、
切り欠きを形成する容積内に存在する剛毛を溶融することにより、ブラシ内に少なくとも１つの切り欠きを作る段階と、
を含む方法を提供する。
【００７８】
また、別の様態において、本発明は、睫毛及び／又は眉毛に化粧品を塗布する方法であって、
ブラシに塗布する化粧品、詳細にはマスカラを付加する段階であって、ブラシは、化粧品が蓄積することができる少なくとも１つの切り欠きを呈し、切り欠きは、剛毛を支えるブラシ部分の長さの半分未満にわたって延びるようになっている段階と、
少なくとも１つの束の分離されていない睫毛及び／又は眉毛を形成するように、切り欠き内に収容されている化粧品を睫毛及び／又は眉毛に塗布する段階と、を含む方法を提供する。
【００７９】
本発明の１つの様態において、ブラシには、切り欠きに化粧品を残すように構成されたワイパ部材を備える容器から取り出した化粧品を付加する。
【００８０】
化粧品は、睫毛又は眉毛の束のみを形成するように睫毛又は眉毛に塗布することができる。変形例において、化粧品は、睫毛又は眉毛の束を形成するだけでなく、束の間によく分離された睫毛及び眉毛を残すように塗布することができる。
また、別の様態において、本発明は、化粧品をパッケージングすると共に睫毛及び／又は眉毛に化粧品を塗布するパッケージング及びアプリケータ装置であって、
睫毛及び／又は眉毛に塗布する化粧品を収容する容器と、
コアと、コアの周り及びコアから延びる剛毛とを含むブラシであって、ブラシは、少なくとも１つの切り欠きを有し、切り欠きを横切る平面の断面が任意の形状を呈するブラシと、
容器から出るときにブラシを拭き取るためのワイパ部材であって、ワイパ部材が、化粧品を切り欠きに残すように構成され、詳細には、少なくともブラシを横断して延びる平面で切り欠きを横切る内側輪郭を有するワイパ部材と、
を含むパッケージング及びアプリケータ装置を提供する。
【００８１】
本発明は、非限定的な実施形態に関する以下の詳細な説明を読むと共に、添付の図面を検討することによって更に良く理解できる筈である。
【発明を実施するための最良の形態】
【００８２】
櫛
図１は、本発明の実施形態を構成する装置１の部分側面図であり、装置は、突起要素１２ａ、１２ｂが連結された支持体１１を有する櫛１０を含み、これら突起要素は同じであってもよく異なっていてもよい。
【００８３】
櫛１０は、ロッド１３（部分的に示す）に連結されており、ロッドは握り部材（図示せず）に連結され、握り部材は、以下に説明するように、密閉蓋を構成できる。
【００８４】
櫛１０は、睫毛及び／又は眉毛に化粧品、例えばマスカラを塗布した後に、別のアプリケータ、例えばブラシを用いてそれらを梳くのに用いることができる。変形例において、櫛１０は、例えば、化粧品を収容する容器に浸けることによって、最初に化粧品を付加した状態で、化粧品を睫毛及び／又は眉毛に塗布するのに用いることができる。
【００８５】
図１の実施例において、突起要素１２ａ及び１２ｂは、歯の形状、例えば、側面から見ると略三角形の形状で示されているが、以下に詳細に説明するように、突起要素は他の形状であってもよく、又は支持体に固定されている剛毛束で構成されていてもよい。
【００８６】
突起要素１２ａ及び１２ｂは、櫛上に様々に配置することができ、例えば、支持体の軸線に実質的に平行な線に沿って延びる、少なくとも１列の突起要素を形成することができる。
【００８７】
図１から分かるように、この列は、互いに第１の間隔ｅで配置されている少なくとも３つの連続する突起要素を含み、この第１の間隔は実質的に一定である。これらの突起要素は、群１５に属するか又は群１５を形成し、本実施例において、列は、前記群の外側に少なくとも第４の突起要素１２ａを含む。参照番号１２ａは、群の端の突起要素又は隔離された突起要素を表すのに用いられ、参照番号１２ｂは、群の端の各突起要素１２ａの間に置かれた突起要素群を表すのに用いられる。第４の突起要素は、第２の突起要素の群１５’に属し、群１５の少なくとも３つの突起要素の最も接近する突起要素から、第１の間隔ｅよりも大きい第２の間隔ｄだけ間隔を隔てて配置される。
【００８８】
群１５は、突起要素１２ａ、１２ｂを有し、これらは、互いに比較的接近し、睫毛及び／又は眉毛を分離するのに適するように構成されている。睫毛及び／又は眉毛は、分離されることなく群１５及び１５’の間を通過することができる。
【００８９】
図２から図６は、突起要素に用いることができる間隔の幾つかの簡単な概略図を示す。
これらの図において、十字形は、突起要素の位置、例えば、その先端又は基部の位置を示す。
【００９０】
これらの図において、突起要素は、線Ｘに沿う列に配置されており、線Ｘは、説明を簡単にするために直線で示されているが、本発明の範囲から外れることなく、単一の平面内で湾曲してもよく又は折り曲げられていてもよい。
【００９１】
図２の実施例において、突起要素は、支持体１１に沿って少なくとも２つの群１５、１５’を形成し、各々の群は、梳くことにより睫毛及び／又は眉毛に接触すると、それらを分離することができる程度に互いに接近した突起要素を形成する。群１５及び１５’は、突起要素がないギャップ１６で互いに分離されており、ここでは、睫毛及び／又は眉毛は、分離することなく係合することができる。梳くのに適する突起要素群及びギャップ１６の存在により、この装置では、化粧効果を得るために、睫毛及び／眉毛の一部を束にすると同時に他の部分を分離することができる。
突起要素の形状、数、及び配置は様々であっても所望の結果を得ることができる。
【００９２】
図１及び図２の実施例において、突起要素は、一定の間隔ｅで各々の群１５又は１５’内に配置され、即ち、群１５又は１５’内の全ての突起要素１２ａ及び１２ｂは、例えば、列の一端に置かれた突起要素１２ａの位置に一致する共通の起点から測定してそれぞれの軸線方向の位置に線Ｘに沿って配置され、この場合、各々の位置は、間隔ｅの整数倍である。隣接する群は、間隔ｄだけ互いに間隔を隔てて配置することができ、この間隔ｄは、図２の実施例では間隔ｅの倍数であり、例えばｄ＝２ｅである。
【００９３】
それぞれの隣接する群に属する隣接する突起要素１２ａ間の距離は、図３に示すように一定である必要はない。この図では、ギャップ１６は、それぞれ異なる幅ｄ1及びｄ2を有し、これらはいずれも間隔ｅよりも大きい。
また、各々の群は、図４に示すように、異なる数の突起要素を有することができる。
【００９４】
任意の１つの群内、又は全ての群内において、突起要素は、図２から図４に示すように、一直線の先端又は基部を有することができるが、幾何学的に別個の表面のいずれかの側で、少なくとも幾つかが交互にオフセットしてもよく、この表面は、例えば、突起要素が配置される線を含む。この可能性を説明するために、図５は、幾何学的に別個の表面の反対側に交互に規則的に配置されている一連の突起要素で構成された列で実現できる方法でもって配置された突起要素１２ａ及び１２ｂの列を示しており、この場合、幾何学的に別個の表面の同じ側に置かれた全ての突起要素はそのままであるが、幾何学的に別個の表面の反対側では、ｎ（ｎは整数）個のうちの１つの要素、例えば、２つのうちの１つの要素は、規則的に省略されている。図５において、例示的に、省略された突起要素の位置は点で表わされている。距離ｅ及びｄは、線Ｘ上の突起に対して測定される。
【００９５】
勿論、ギャップ１６は、全て幾何学的に別個の表面の同じ側から突起要素を取り除く方法とは別の方法で作ることができる。例えば、図６には、幾何学的に別個の表面の両側から突起要素が取り除かれた配置が示されており、例えば、片側の（整数）ｎ個のうち１つの要素と、反対側の（整数）ｍ個のうちの１つの要素（随意的にｍ及びｎは等しくてもよい）とが取り除かれている。
【００９６】
例示的に、図１に示す櫛のような櫛は、異なるアプリケータを用いて化粧品を塗布した後に睫毛及び／又は眉毛を梳くだけではなく、睫毛及び／又は眉毛に化粧品を塗布するために用いることができる。
このような状況では、櫛は、化粧品の補充品と関連することができる。
【００９７】
例示的に、図７は、睫毛及び／又は眉毛に塗布するための化粧品Ｐを収容する容器２１を含む装置２０と、一端に例示的に前述の櫛１０で構成されているアプリケータ要素を備え、他端に容器２１の漏れ防止密封蓋としての機能を果たすことができる握り部材３２、例えば、外側にねじを有する容器の首部２２にねじ締めするのに適する握り部材３２を備えるロッド３１とを含むアプリケータ３０を示す。
【００９８】
本実施例において、アプリケータを容器から引き出すときに、ロッド３１及びアプリケータ要素１０を拭き取るためのワイパ部材４０は、首部２２の内側に固定される。このワイパ部材は、化粧品をギャップ１６内に残すことができる。
【００９９】
突起要素、例えば櫛１０の歯は、拭き取りの間に潰れないように十分な剛性を有することができ、この拭き取りは、ワイパリップがギャップの底に到達することができないので、ギャップ１６に化粧品を補充するのに役立つ。櫛に沿って化粧品を非均一に分配することができ、梳く部分はよく拭き取られ、梳かない部分は睫毛を互いに束にするのに十分な量の化粧品を収容する。
【０１００】
以下に本発明によるアプリケータ要素の別の実施形態を説明する。
図８は、歯が、図５を参照して前述した構成と同様の構成に配置されている櫛、即ち、歯の列が支持体に沿って延び、各々の群の歯が幾何学的に別個の表面の両側に交互に配置されている櫛を示す。全ての連続する歯が幾何学的に別個の表面の反対側で交互に延びる歯の列に比較し、この表面の特定の側に置かれた特定の歯は取り除かれており、結果的にギャップ５０が残される。
【０１０１】
図８から、突起要素１２ａ、１２ｂは歯の形状であってもよく、その歯の幅は、アプリケータ要素の縦の軸線に平行に測定すると、例えば、その自由端に向かって次第に細くなり、幾何学的に別個の表面の反対側にそれぞれ置かれた２つの隣接する突起要素が、櫛を端から見ると実質的にＶ形の外形を有する溝５２を形成することが分かる。歯の基部は、図示のように支持体の縦の軸線に対して斜めに延びる必要はない。図示のように、アプリケータ要素の先端部分５４及び基端部分５５は、ワイパ４０の通過を容易にする形状をもつことができる。このような先端部分及び基端部分は、本発明の意味での突起要素を構成しない。
【０１０２】
図９に示すアプリケータ要素は、図８の各々の群１５及び１５’の歯が無く、結果的に付加的な歯の群及びギャップ１６を形成する点で、図８に示すものとは異なる。取り除かれた歯は、図６に示すように、全てが幾何学的に別個の表面の間隔を隔てた側にはない。
【０１０３】
図１０の実施例において、アプリケータ要素は、基部が一直線になった歯の列を有する。歯の自由端は、図６に示す構成と同様の方法で配置され、即ち、歯の端部は、各々の歯の群内で連続的に、実質的に幾何学的に別個の表面の両側に交互に配置される。
【０１０４】
図１１に示すアプリケータ要素は、基部及び自由端が実質的に同一平面上にある歯の列を有する。歯の基部の配置は、例えば図３及び図４に示す構成の１つと同様とすることができる。また、図１１は、突起要素が所定の群内で高さが異なっていてもよいことを示す。
【０１０５】
突起要素は、睫毛及び／又は眉毛を容易に掴むことができるように、起伏部又は角張ったゾーンを有することができる。
例示的に、図１２は、角張ったゾーン６３を含む突起要素を示す。この図から、突起要素が連結されている支持体の表面６０は、それ自身が平坦ではなく、例えば、図示のように外側に凸形の形状、又は外側に凹形の形状（図示せず）であってもよいことが分かる。
【０１０６】
睫毛を分離する機能を果たす突起要素に加え、アプリケータ要素は、例えば、図１３に示すように、瞼に線を引くことができる少なくとも１つの先端６５を含むことができる。また、この図は、突起要素の群１５と孤立突起要素１２ａとの間にギャップ１６を形成できることを示す。
【０１０７】
異なる群１５及び１５’に属する２つの隣接する突起要素１２ａの間のギャップ１６は、起伏部をもつ必要は全くなく、又は、例えば図１４に示すように化粧品を保持するのに適する少なくとも１つの起伏部７０を含むことができる。このような起伏部７０は、隣接する群の突起要素とは異なる種々の形状とすることができ、詳細には、図１５に示すような１つ又はそれ以上の短い歯の形状とすることができる。このような起伏部７０は、隣接する突起要素１２ａの間を通過する睫毛を分離するのには比較的適していない。
【０１０８】
図１５に示すように、突起要素は、所定の突起要素の群内で異なる形状とすることができる。図１５の実施例において、少なくとも１つの群の突起要素は、幅広の歯及び細い歯の両方を含み、歯の全ては対になって、その間に実質的にＶ形の溝７１を形成する。また、図１５は、ギャップ１６が、支持体に沿う範囲の一部のみにわたって自身の起伏部７０を有することができることを示す。
【０１０９】
アプリケータ要素は、２つ以上の列の突起要素を有することができ、詳細には、図１６に示すように、突起要素の２つの連続体を有することができる。図１６において、アプリケータ要素は、突起要素の第１の連続体８０と、実質的に第１の連続体の反対側にある突起要素の第２の連続体９０とを含むことが分かる。アプリケータ要素を側面から見ると、第１の連続体８０の突起要素の少なくとも一部は、略凸形の第１の線Ａに実質的に沿って置かれた自由端を有することができ、第２の連続体９０の突起要素の少なくとも一部は、略凹形の第２の線Ｂに実質的に沿って置かれた自由端を有することができる。第１の連続体８０の突起要素は、例えば、眉毛及び／又は睫毛を化粧するのに役立つことができ、第２の連続体９０の突起要素は、睫毛を化粧するのに役立つことができる。
【０１１０】
図１６の実施例において、第１の連続体８０の突起要素は、突起要素をもたないギャップ１６で分離された少なくとも２つの群１５及び１５’を含むことができる。
【０１１１】
図１７及び図１８に示すアプリケータ要素は、図１６に示すものとは、凹形の線Ｂの同じ側に置かれている突起要素が、同様にギャップ１６で分離されている少なくとも２つの群１５及び１５’を有する点で異なっている。
【０１１２】
突起要素は、その形状に関わらず、図１９に示すようにフロック繊維９１でコーティングすることができる。
【０１１３】
例示的に、突起要素は、図２０に示すように、鉤形で、睫毛及び／又は眉毛を引っ掛ける機能を果たす自由端９２を有することができる。
【０１１４】
図２１に示すように、アプリケータ要素は、アプリケータを端部から見ると同じ回転方向に延びる複数の列の突起要素を含むことができる。例示的に、突起要素は、隣接する面の延長部によって支持体に連結することができる。この形式のアプリケータ要素に関する詳細は、欧州公開特許ＥＰ−Ａ−１０７０４６８を参照することができる。
【０１１５】
図２２は、概略図であり、突起要素の複数の列、例えば４つの列を含むアプリケータ要素を示している。各々の列は、ギャップ１６により分離された少なくとも２つの群１５及び１５’の突起要素を含み、ギャップは、例えば、切り欠き形状に形成される。
【０１１６】
歯の列の全ては同一とすることができ、即ち、各々の列は、図２２に示すように、隣接する列が支持体の軸線の周りを回転した像とすることができる。変形例において、少なくとも２つの列は異なることができ、この場合、図２３に示すように、１つの列の少なくとも１つのギャップ１６は、支持体を軸線の周りに例えば１／４回転しても別の列のギャップ１６とは完全に重ならない。これらの実施例において、突起要素は、列の軸線に平行な方向に延びる矩形面を有する。
【０１１７】
突起要素は、異なる方法で、例えば、図２４に示すようにその表面に実質的に垂直に支持体に連結することができる。
【０１１８】
突起要素は、図２５に示すように実質的に円筒形の部分を有し、ある種のスパイクを形成することができる。
【０１１９】
図２６は、孔のある支持体１００を含み、例えば、欧州公開特許ＥＰ−Ａ−１１６９９４１に記載されているアプリケータ要素と同様の方法で突起要素が連結されている２つの対向する領域１０１を有するアプリケータ要素を示す。図２７は、図２６のアプリケータ要素を矢印ＸＸＶＩＩに沿って見た概略的な側面図である。
【０１２０】
また、突起要素は、例えば、図２８に示すように壁１１０の鋸歯縁により形成でき、この壁は、図２８に示すように少なくともその長さの一部を介して支持体に連結するか、又は図２９に示すように支持体の基端及び先端部分にのみ連結する。例えば、化粧品の補充品を保持できるように、壁１１０と支持体との間にスロット１１１を設けることができる。全長又は一部にわたって支持体に連結された壁の縁部によって形成されている突起要素を有するアプリケータ要素は、欧州公開特許ＥＰ−Ａ−１１５７６２９及びＥＰ−Ａ−１１５７６３２に記載されており、これらを参照することができる。
【０１２１】
また、図３０から図３２に示すように、アプリケータ要素は、櫛の縦の軸線に沿って互いに摺動するのに適する２つの部分１４１及び１４２を有する櫛１４０で構成することができる。これらの部分の各々は、歯１２ａ、１２ｂを有する。櫛１４０は、図３１に平面図で示され、図３２に側面図で示される。
【０１２２】
図３１において、互いに関連する各部分の第１の相対位置では、部分１４１の歯は、部分１４２の歯の位置と実質的に同一である軸線方向の位置を占めることができ、櫛を側部から見ると、一定のピッチで間隔があいた単一の歯の列が見える。
【０１２３】
部分１４１が部分１４２に対して摺動した場合、部分１４１の歯は、部分１４２の歯に対して軸線方向にオフセットしてその間から現れ、図３２に示すように、互いに関連する各部分の第２の相対位置では、幾何学的に別個の表面の反対側に実質的に交互に置かれた歯の列が得られる。
【０１２４】
部分１４１の歯は、部分１４１の２つの歯の間の間隔ｅの整数倍である軸線方向の位置で前記表面に沿って配置される。部分１４２の歯も同様に配置される。この部分１４２は、部分１４１より歯の数が多い。部分１４１及び１４２は、任意の適切な機構で駆動できる。このような機構の１つの例は、米国特許第５，０８６，７９３号に示されている。
【０１２５】
図３２に対応する構成において、２つの部分１４１及び１４２は、実質的にｅ／２に対応する距離でオフセットされている。
【０１２６】
異なる大きさ及び形状の歯を用いて突起要素を構成することができる。
詳細には、図３３及び図３４の実施例に示すように、異なる傾斜を有する三角形の歯を用いることができる。
【０１２７】
更に詳細には、図３３は、連続する歯１２ａ、１２ｂがその基部で交わり、櫛を側面から見ても重なっていない櫛を示す。縦の軸線方向Ｌに対して角度α1を成す傾斜の歯は、先端が距離ｅで互いに分離されている突起要素の群１５を形成する。縦の軸線に対してα1より大きい角度α2を成す傾斜の歯１２ａは、前記群１５に対するギャップ１６を残す。歯１２ａの先端と群１５内の隣接する歯の先端との間の距離ｄは、距離ｅよりも大きい。
【０１２８】
実施例において、傾斜α2の歯１２ａは、その先端を通り図３３の平面に垂直な中央平面に対して、対称な形状で示されているが、この歯は、非対称な形状であってもよい。
【０１２９】
例えば、列の歯の一部は、片側に比較的急な傾斜を有し、反対側にあまり急でない傾斜を有することができる。
【０１３０】
図３４は、群１５の端部の歯１２ａが、前記群内の歯１２ｂに隣接する側に角度α3の傾斜を有し、この傾斜が、角度α4である前記群の外側の側の傾斜とは異なる櫛の実施例を示す。ギャップ１６は、図３４から分かるように、非対称な外形の２つの歯１２ａの間に形成できる。
【０１３１】
また、突起要素は、複数の自由先端を有することができ、これは、詳細には、図３５に示すように突起要素がＹ形の場合である。群内の突起要素間の間隔ｅは、その基部の中心間で測定される。
【０１３２】
２つの群１５及び１５’の２つの要素１２ａは、群１５内の２つの突起要素間の距離ｅよりも大きい距離ｄにわたって延びるギャップ１６を残す。
【０１３３】
図示のように、ギャップ１６自身は、例えば突起要素１２ａ又は１２ｂの下側部と同一の形状を有する起伏部７０を含むことができ、このような起伏部は、両側の隣接する突起要素よりも短い。
【０１３４】
例えば、図３６から図３９に示すように、歯だけでなく、捩じりコアで構成されていない支持体に固定された剛毛束も同様に突起要素として用いることが可能である。
【０１３５】
剛毛束は、支持体の孔に挿入することができ、例えば、欧州公開特許ＥＰ−Ａ−１１５５６３７に説明されているように、支持体をスタンピングすることによりその中に固定することができる。別の固定方法を用いることもでき、剛毛束は接着剤又は止め金で保持することができる。
【０１３６】
睫毛を分離するのに適する突起要素の群の間に形成されたギャップ１６は、剛毛を完全に省略するか、又は剛毛の長さを短くすることでギャップとなり得る。
剛毛の端部は、図３６に示すような実質的に平坦な表面、又は図３７に示すような外側に向かって略凹形の表面、又は図３８に示すような鋸歯を形成する表面、又は図３９に示すような凸形の表面に存在することができる。
【０１３７】
支持孔は、貫通孔又は止り孔とすることができ、剛毛束をＵ形に折り曲げて孔に挿入することにより、図３８に示すように支持体の片側にループを形成することができる。これらのループは、図３９に示すように支持体の両側に剛毛束を形成するために随意的に切断することができる。
【０１３８】
図３６から図３９は、基部で測定した３つの連続する剛毛束の間の間隔ｅが一定であり、各々の剛毛束が、例えば図２から図６に示すような突起要素を構成するとみなし得ることを示す。
【０１３９】
本発明によるアプリケータは、図４０に示すように、エラストマーリップ以外のワイパ、例えば有孔ブロックのフォーム１３０を含むワイパを備える容器とともに用いることができる。
【０１４０】
図４０から分かるように、化粧品Ｐは、睫毛及び／又は眉毛に堆積することになる繊維１３２を含むことができる。
【０１４１】
図４１から図４５に示すように、睫毛及び／又は眉毛が集まって小さな束になる化粧効果を得ることができる。
【０１４２】
アプリケータ要素内のギャップ１６には、比較的多量の化粧品が満たされ、結果的に、前記ギャップ１６には睫毛を分離することができる突起要素がないので、睫毛を分離することなく、間隔を隔てて配置された部位で化粧品が睫毛に堆積するため、睫毛が集まって束になることができる。睫毛が集まって束になるのは、ギャップ１６が化粧品で満杯でない場合に、睫毛又は眉毛がその中で係合して互いに接触するようになるためであり、これにより、睫毛に既に塗布されている化粧品が束にすることを可能にする場合には睫毛は集まって束になる。睫毛は、集まって束になってしまうと、櫛の梳き部分で分離することは困難になる。
【０１４３】
また、図４２に示すように、睫毛及び／又は眉毛は、束の間に完全に分離された多少の毛を含むことができる。
【０１４４】
各々の睫毛束に堆積した化粧品の量は、特定の束が他の束より長く見えるように非均一とすることができる。また、睫毛束は、異なる睫毛数をもつことができ、結果的に、図４３に示すように、束の一部は、他の束より幅広又は長く見える。
【０１４５】
分離された睫毛、及び非分離の睫毛束は、図４３及び図４４に見られるように、随意的に規則的になるように交互に並ぶことができる。
【０１４６】
図４５に示すように、睫毛及び眉毛は、集まって群になった毛の束を形成するように仕立てることができる。
【０１４７】
得られる新規な化粧効果を可能にする装置の他の実施例は、図４６から図４９を参照して以下に説明する。
【０１４８】
詳細には、図５０に示すように、全ての睫毛を束状態に一緒に集めて束にする化粧を得ようとするものである。
【０１４９】
一方、図１から図４５を参照して前述した実施例では、睫毛を分離するのに適切なゾーンと、集めて束にするのに適するゾーンの両方があり、図４６から図４９の実施例では、睫毛を束にする作用を優先している。
【０１５０】
図４６に部分的に示す櫛２００は、複数の睫毛が歯の間で係合することができるのに十分な大きさの間隔を隔てて配置された一連の歯２０１を含んでおり、睫毛は、歯の間に存在する化粧品でコーティングされ集まって束になる。各先端の間の距離で測定した歯２０１の間の間隔は、例えば、約３ｍｍとすることができ、櫛は、約１０本の歯を有することができるが、この数値は限定的ではなく例示的なものである。
【０１５１】
図４７は、それぞれ、互いに接近した２つの歯２１２を有する一連の群２１１を含む櫛２１０を示し、２つの隣接する群の間隔ｓは、例えば、約３ｍｍである。
【０１５２】
図４８に示す櫛２２０は、それぞれ、互いに向かって斜めに傾斜してその先端の間に比較的短い距離２２３を残した２つの歯２２２を含む群２２１を有し、化粧品でコーティングされた櫛が睫毛及び／又は眉毛に接触する場合に、睫毛が、所定の群２２１の２つの歯２２２の間に容易に係合しないようになっている。
【０１５３】
群の間の間隔ｓは、例えば、約３ｍｍとすることができる。図４６から図４８の実施例において、歯の基部は、連結する支持体の縦の軸線に沿って一直線の状態にあるが、変形例において、図４９に示すように、歯は、中心コアの反対側に交互に配置できる。
【０１５４】
図４９に示す櫛２３０は、歯２３２がコア２３１の反対側に交互に連結された２つの対向面を有するコア２３１を含む。
【０１５５】
支持体の縦の軸線に平行に測定した隣接する歯２３２の間の間隔は、例えば、約３ｍｍとすることができる。図４６から図４９の実施例において、歯又は歯の群の間の間隔は、支持体に沿って一定であるが、この間隔は一定である必要はない。
【０１５６】
ブラシ
図５１は、化粧品Ｐを収容する容器３０２を含むパッケージング及びアプリケータ装置３０１を示しており、この容器３０２には、外側にねじを有する首部３０３が設けられている。密閉蓋３０４は、首部３０３に固定して非使用時に漏れないように容器３０２を閉じることができる。
【０１５７】
装置３０１は、一端には握り部として用いられる蓋３０４を備えると共に他端にはブラシ３１０備えるロッド３０５を有するアプリケータを含む。
【０１５８】
図示の実施例において、容器３０２は細長い形状であるが、他の形状を採用しても本発明の範囲から外れるものではない。
【０１５９】
ワイパ部材３０７は、容器３０２の首部３０３に固定され、自由端に拭き取り孔３０７ａを備えるエラストマーリップを有し、拭き取り孔３０７ａは、図示の実施例では円形断面であり、例えば、ロッド３０５の直径と同じか僅かに大きい直径を有する。
【０１６０】
図示の実施例において、ブラシ３１０は、ロッド３０５の端部に固定されると共に２つの互いに捩じり合わされたワイヤの枝３１６で形成されたメタルコア３１５を有する。剛毛３１７は、図５２及び図５３に概略的に示すように、従来の方法で枝３１６の間に狭持される。
【０１６１】
剛毛３１７は、天然又は合成材料、例えばエラストマーとすることができ、随意的にフロック加工することができる。適切であれば、ブラシ３１０は、異なる種類の剛毛の混合体を含むことができる。
【０１６２】
ブラシがコア、詳細には熱可塑材料で作られたコア上に射出又はオーバーモールドされた剛毛を有し、前記コアが随意的にロッドと一体成形され、剛毛がコアの周りに半径方向に延びることは、本発明の範囲から外れるものではない。
【０１６３】
本発明の様態において、ブラシ３１０は、例えばブラシを切り取ることにより作ることができる少なくとも１つの切り欠き３１２を有する。また、剛毛が適切な材料で作られている場合には、剛毛３１７を溶融又は蒸発させることにより切り欠き３１２を作ることも可能である。
【０１６４】
図５２及び図５３において、図示の実施例では、切り欠き３１２は、ブラシの完全な１回転未満にわたって延びると共にブラシの長さの一部のみにわたって延びるので、切り欠きを横切る平面の断面において、ブラシの断面は非円形であることが分かる。
【０１６５】
図示の実施例において、切り欠き３１２は、ブラシ３１０の軸線Ｘの周りで測定した角度範囲α（αは、ブラシ３１０の周囲の約１／４に対応する）にわたって延び、長さＬ（ブラシの長さの約１／６に対応する）にわたって延びる。
【０１６６】
切り欠き３１２は、図示の実施例において、円周方向には２つの面３１２ａで形成され、軸線方向には２つの面３１２ｂで形成される。
【０１６７】
図５３に示すように、面３１２ａは、実質的に半径方向とすることができ、図５４に示すように、変形例において、半径に対してゼロではない角度βをなすこともできる。
【０１６８】
図５２に示すように、面３１２ｂは、コアに対して実質的に垂直とすることができるが、図５５に示すように、変形例において、垂直でなくてもよい。図５５において、面３１２ｂは、外向きに広がってもよいことが分かる。
【０１６９】
ブラシ３１０は、図示の実施例において、軸線Ｘの周りに円筒形である包絡線表面Ｓを有する。
【０１７０】
図５２に示すように、ブラシの末端部分は切頭円錐形とすることができる。
【０１７１】
切り欠き３１２が、ブラシ３１０の円周の１／４以上又は以下にわたって延びることは、本発明の範囲を外れるものではない。例示的に、図５６は、ブラシ３１０の円周の実質的に１／３だけ延びる切り欠き３１２を示し、図５７は、ブラシ３１０の円周の実質的に半分にわたって延びる切り欠き３１２を示している。
【０１７２】
剛毛の長さが、少なくとも切り欠きの領域で切り欠きの外側の剛毛の長さより短いこと、例えば実質的にゼロであること、及びブラシのコアに垂直で切り欠きを横切る平面の断面が円形であることは、本発明の範囲を外れるものではない。
【０１７３】
例示的に、図５８は、下側がコアで形成され、任意的に下側がコア３１５の２つの捩じり合わせた枝３１６から突出するとしても極めて僅かに突出すると共に枝３１６により捕捉されている剛毛で形成されている切り欠きを含むブラシ３１０の一部分を示す。
【０１７４】
図５９に示すように、この切り欠きは、ブラシのコアの全周にわたって延びることができる。
ワイパ部材３０７は、化粧品を切り欠きに残すように構成される。
【０１７５】
図６０の破線は、ワイパオリフィス３０７ａの内側輪郭Ｃを示している。この輪郭Ｃは、切り欠き３１２を横切ることが好ましい。コア３１５と切り欠き３１２との間に位置する短い剛毛３１７は、ワイパオリフィス３０７ａの輪郭Ｃの実質的に内側に自由端を有し、この剛毛は、ブラシがワイパ部材を通過しても拭き取られず、結果的に化粧品Ｐが切り欠き３１２の少なくとも一部に溜まり得るようになっていることが分かる。
図示していない変形例において、輪郭Ｃは非円形とすることができる。
【０１７６】
従って、塗布時に、睫毛及び／又は眉毛に非均一になるように化粧品を堆積することが可能であり、詳細には、切り欠き３１２に存在する化粧品に接触する睫毛及び／又は眉毛に化粧品を多く堆積することが可能である。
【０１７７】
ブラシは、本発明の範囲から離れることなく複数の切り欠き３１２を有することができるが、図５１及び図５２には、説明を簡単にするために１つの切り欠きのみが示されている。
【０１７８】
図６１に示すように、切り欠き３１２は、ブラシの軸線Ｘに沿ってオフセットすることができる。この実施例において、一方の切り欠きは、例えばブラシの軸線Ｘに平行に平行移動した他方の切り欠きの像とすることができる。
【０１７９】
また、図６２に示すように、少なくとも２つの切り欠き３１２は、軸線方向にオフセットせず、円周方向にオフセットすることが可能である。
【０１８０】
図６３に示すように、少なくとも２つの切り欠き３１２は、直径方向に対向するようにブラシ３１０の円周のまわりに分布することができる。
【０１８１】
また、ブラシは、図６４に示すように実質的に１２０°の間隔で３つの切り欠き３１２を有することができ、又は更に多数の切り欠きを有することもできる。
【０１８２】
図６５は、切り欠きがコア３１５の全周に延びることが可能であることを示す。
この場合、剛毛が非常に短くないときは、ブラシの断面は非円形の形状、例えば、図６５に示すように実質的に三角形となる。
【０１８３】
図６５において、破線は、切り欠きの外側のブラシの包絡線表面の断面を示す。
端部が切り欠きの下側を形成する剛毛は、コアの周りで異なる長さであることが分かる。
【０１８４】
図６６及び図６７の実施例において、ブラシは、ブラシの軸線Ｘを含む中央平面Ｋに対して実質的に互いに対称的に配置されている少なくとも２つの切り欠き３１２を有する。
【０１８５】
２つの切り欠き３１２は、最初に、図６６では実質的に半円にわたって延び、図６７では１／３円にわたって延びる第１の組の剛毛により円周方向に分離され、次に、小さい角度範囲を占める１組の剛毛により更に分離される。
【０１８６】
ブラシを側面図又は縦の断面図で見ると、図６８に示すような千鳥状構成に配置された切り欠きを有することができる。図６８において、切り欠き３１２は概略的に示されているが、種々の構成を成すことができる。例えば、ブラシは、少なくとも２列の切り欠きを有し、各々の列の切り欠きが、他の列の切り欠きに対して円周方向にオフセットしてもよく、各々の列の切り欠きが、他の列の切り欠きに対して軸線方向にオフセットしてもよく、更に、所定の列の切り欠きが、軸線方向にオフセットして、例えばブラシの軸線に対して平行移動して互いにずれた像を構成してもよい。
【０１８７】
切り欠きの形状は同一とすることができるが、ブラシが、軸線方向及び／又は円周方向にオフセットした同一でない複数の切り欠きを有することは、本発明の範囲を外れるものではない。
【０１８８】
従って、図６９に示すように、ブラシは、互いに異なる形状の切り欠きを有することができる。詳細には、切り欠きの深さｐは、切り欠きによって様々とすることができ、同様に、ブラシの軸線Ｘに平行に測定した切り欠きの長さＬも切り欠きによって様々とすることができ、切り欠き間の間隔についても同様である。
また、ブラシは、円筒形でない包絡線表面を形成することもできる。
【０１８９】
例示的に、図７０は、包絡線表面の横断面が多角形であるブラシを示し、図７１の特定の実施例では正方形である。図７１において、ブラシが、例えば包絡線表面の縁部の１つに隣接する所定の容積を占める少なくとも１つの切り欠き３１２を有することができることが分かる。
【０１９０】
ブラシは、例示的に図７２及び図７３に示すブラシの場合のように、軸線に平行に移動すると横断面が一定でないブラシの一部に作られた少なくとも１つの切り欠きを有することができる。
【０１９１】
このブラシは、凹面３７２を有し、その間には、図示の実施例では実質的に円筒形である包絡線表面にある隆起面を備える。
【０１９２】
また、図示の実施例において、各々の凹面３７２は、切り欠きの一端から他端までブラシに沿って移動するときに最大の幅を通過するようになった幅をもつことが分かる。
【０１９３】
ブラシは、少なくとも１つの切り欠き３１２を有し、例えば、図７３に示すように２つの面３７２の間に形成されるか又は面３７２上に形成され、前記面内に深さの深い領域を定める。
【０１９４】
ブラシは、図７４及び図７５に示すように直線的でない軸線Ｘを有することができる。例示的に、コア３１５は、ロッドの軸線に対してブラシの末端に近づくにつれて角度が大きくなっている。
【０１９５】
例示的に、ブラシは、図示の実施例のように、コアの凹側に少なくとも１つの切り欠き３１２を有することができる。１つの変形例において、ブラシは、コアの凸側に少なくとも１つの切り欠きを有することができる。
【０１９６】
図７６及び図７７は、本発明に基づいて作られたブラシの実施例の包絡線を示す。
図７７において、軸線に垂直な１つの特定の方向から見ると、ブラシには切り欠きがないことが分かる。
しかし、軸線の周りに１／４回転させると、同じブラシには切り欠き、詳細には、このブラシは螺旋状の溝をもたないにも関わらず、対向する上縁及び下縁に交互に開口する一連の切り欠きが見える。
【０１９７】
ブラシのコア３１５は、２つの捩じり合わせたワイヤの枝を用いる以外の方法で作ることができる。例示的に、図７８は、２つの個別のコア３１５ａ及び３１５ｂを互いに巻きつけて捩じることにより得られるコアを示している。各々の個別のコア３１５ａ又は３１５ｂ自身は、２つのワイヤ枝を互いに捩じる従来の方法で作られており、これら２つの枝は、その間にコアの周りに半径方向に延びる剛毛を収容して捕捉する。
ブラシの切り欠きは、適切であれば、コアを変形することによってコアの形状を変化させる前又は後のいずれかに、ブラシを切り取ることにより作ることができる。また、切り欠きは、例えば、レーザーを照射するか又は高温型材に接触させることにより、剛毛を局所的に溶融させることにより作ることができる。高温型材に接触させる場合、剛毛材料は、高温型材に接触すると溶融することができるように選択する必要がある。
【０１９８】
ブラシは、異なる長さの剛毛及び／又は異なる種類の剛毛の混合体を用いて作ることができる。
【０１９９】
使用する剛毛は、種々の可撓性及び横断面を示すことができ、詳細には、その断面は円形又は非円形であってもよい。
【０２００】
ブラシ上の切り欠きは、ブラシが容器から引き出されるときに化粧品Ｐを蓄えることができ、ワイパ部材は、切り欠きに最初から存在する化粧品の全てを拭き取らないように構成されている。ブラシは、ワイパオリフィスを通るときの断面で見ると、切り欠きの少なくとも一部は、ワイパオリフィスの縁部から少し離れることができるため、切り欠きの前記部分に存在する化粧品は、ワイパ部材により拭き取られることがなく容器内に残留しない。
【０２０１】
ブラシが、睫毛及び／又は眉毛に接触すると、切り欠きに係合した睫毛は、分離されることなく化粧品がコーティングされるため、図７９から図８１に示すように、このブラシにより、睫毛が束状に集まって群になる化粧を得ることが可能になる。
【０２０２】
図７９は、特定の睫毛及び／又は睫毛束、詳細には切り欠き内で係合した睫毛に、他の睫毛よりも多くの化粧品が付くことを示している。
【０２０３】
得られる化粧は睫毛束を含み、その間には、分離した睫毛が図８０に示すように比較的均等に、又は図８１に示すように不規則に配置される。
【０２０４】
勿論、本発明は、前述の実施形態に限定されるものではなく、特に、種々の実施形態の特徴を互いに組み合わせることが可能である。
本明細書において、「含む」という用語は、明記しない限り「少なくとも１つを含む」と同義語であることに留意されたい。
【図面の簡単な説明】
【０２０５】
【図１】本発明の実施形態を構成する櫛の概略図である。
【図２】突起要素を分布させる別の方法の実施例を示す簡単な概略図である。
【図３】突起要素を分布させる別の方法の実施例を示す簡単な概略図である。
【図４】突起要素を分布させる別の方法の実施例を示す簡単な概略図である。
【図５】突起要素を分布させる別の方法の実施例を示す簡単な概略図である。
【図６】突起要素を分布させる別の方法の実施例を示す簡単な概略図である。
【図７】パッケージング及びアプリケータ装置の概略的な横断面図である。
【図７Ａ】拭き取られるときの櫛の部分概略図である。
【図８】櫛の別の実施例を示す。
【図９】櫛の別の実施例を示す。
【図１０】櫛の別の実施例を示す。
【図１１】櫛の別の実施例を示す。
【図１２】櫛の別の実施例を示す。
【図１３】櫛の別の実施例を示す。
【図１４】櫛の別の実施例を示す。
【図１５】櫛の別の実施例を示す。
【図１６】櫛の別の実施例を示す。
【図１７】櫛の別の実施例を示す。
【図１８】櫛の別の実施例を示す。
【図１９】櫛の別の実施例を示す。
【図２０】突起要素の別の実施形態を示す図である。
【図２１】櫛の別の実施例を示す概略図である。
【図２２】櫛の別の実施例を示す概略図である。
【図２３】櫛の別の実施例を示す概略図である。
【図２４】櫛の別の実施例を示す概略図である。
【図２５】櫛の別の実施例を示す概略図である。
【図２６】櫛の別の実施例を示す概略図である。
【図２７】櫛の別の実施例を示す概略図である。
【図２８】櫛の別の実施例を示す概略図である。
【図２９】櫛の別の実施例を示す概略図である。
【図３０】櫛の別の実施例を示す概略図である。
【図３１】櫛の別の実施例を示す概略図である。
【図３２】櫛の別の実施例を示す概略図である。
【図３３】櫛の別の実施例を示す概略図である。
【図３４】櫛の別の実施例を示す概略図である。
【図３５】櫛の別の実施例を示す概略図である。
【図３６】櫛の別の実施例を示す概略図である。
【図３７】櫛の別の実施例を示す概略図である。
【図３８】櫛の別の実施例を示す概略図である。
【図３９】櫛の別の実施例を示す概略図である。
【図４０】パッケージング及びアプリケータ装置の概略的な横断面図である。
【図４１】本発明の装置を用いて行うことができる化粧の実施例の簡単な概略図である。
【図４２】本発明の装置を用いて行うことができる化粧の実施例の簡単な概略図である。
【図４３】本発明の装置を用いて行うことができる化粧の実施例の簡単な概略図である。
【図４４】本発明の装置を用いて行うことができる化粧の実施例の簡単な概略図である。
【図４５】本発明の装置を用いて行うことができる化粧の実施例の簡単な概略図である。
【図４６】新しい化粧効果を得ることができる装置の別の実施例を示す部分概略図である。
【図４７】新しい化粧効果を得ることができる装置の別の実施例を示す部分概略図である。
【図４８】新しい化粧効果を得ることができる装置の別の実施例を示す部分概略図である。
【図４９】新しい化粧効果を得ることができる装置の別の実施例を示す部分概略図である。
【図５０】図４６から図４９までの装置の１つで行うことができる化粧の実施例を示す。
【図５１】本発明によるパッケージング及びアプリケータの概略的な部分横断面図である。
【図５２】図５１の装置のブラシの概略的な側面図である。
【図５３】図５２のＩＩＩ−ＩＩＩの断面図である。
【図５４】別の切り欠きの形状を示す。
【図５５】別の切り欠きの形状を示す。
【図５６】別の切り欠きの形状を示す。
【図５７】別の切り欠きの形状を示す。
【図５８】本発明の別の実施形態の概略的な部分側面図である。
【図５９】図５８のＩＸ−ＸＩの断面図である。
【図６０】図５３に類似の図でありワイパオリフィスの輪郭を示す。
【図６１】本発明の別の実施形態の概略的な側面図である。
【図６２】本発明の別の実施形態の概略的な側面図である。
【図６３】図６２のＸＩＩＩ−ＸＩＩＩの断面図である。
【図６４】本発明の別の実施形態の断面図である。
【図６５】本発明の別の実施形態の断面図である。
【図６６】本発明の別の実施形態の断面図である。
【図６７】本発明の別の実施形態の断面図である。
【図６８】本発明の別の実施形態の概略的な側面図である。
【図６９】本発明の別の実施形態の概略的な側面図である。
【図７０】本発明の別の実施形態を構成するブラシの概略的な部分斜視図である。
【図７１】図７０のＸＸＩの断面図である。
【図７２】本発明の別の実施形態を構成するブラシの概略的な側面図である。
【図７３】図７２のＸＸＩＩＩ−ＸＸＩＩＩの断面図である。
【図７４】本発明の別の実施形態を構成するブラシの概略的な側面図である。
【図７５】図７４のＸＸＶ−ＸＸＶの断面図である。
【図７６】本発明の実施形態に対応するブラシの包絡線の側面図である。
【図７７】図７６のブラシを軸線の周りに１／４回転だけ回転させた後の前記ブラシの包絡線図である。
【図７８】互いに捩じった２つの個別のコアを巻くことにより形成したコアを示す。
【図７９】実施可能な化粧効果の実施例を示す。
【図８０】実施可能な化粧効果の別の実施例を示す。
【図８１】実施可能な化粧効果の別の実施例を示す。
【符号の説明】
【０２０６】
１  装置
１０  櫛
１１  支持体
１２ａ  突起要素
１２ｂ  突起要素
１３  ロッド
１５  突起要素の群
１５’  第２の突起要素の群
１６  ギャップ
ｅ  第１の間隔
ｄ  第２の間隔
【図１】
2006116363.tif 000003
【図２】
2006116363.tif 000004
【図３】
2006116363.tif 000005
【図４】
2006116363.tif 000006
【図５】
2006116363.tif 000007
【図６】
2006116363.tif 000008
【図７】
2006116363.tif 000009
【図７Ａ】
2006116363.tif 000010
【図８】
2006116363.tif 000011
【図９】
2006116363.tif 000012
【図１０】
2006116363.tif 000013
【図１１】
2006116363.tif 000014
【図１２】
2006116363.tif 000015
【図１３】
2006116363.tif 000016
【図１４】
2006116363.tif 000017
【図１５】
2006116363.tif 000018
【図１６】
2006116363.tif 000019
【図１７】
2006116363.tif 000020
【図１８】
2006116363.tif 000021
【図１９】
2006116363.tif 000022
【図２０】
2006116363.tif 000023
【図２１】
2006116363.tif 000024
【図２２】
2006116363.tif 000025
【図２３】
2006116363.tif 000026
【図２４】
2006116363.tif 000027
【図２５】
2006116363.tif 000028
【図２６】
2006116363.tif 000029
【図２７】
2006116363.tif 000030
【図２８】
2006116363.tif 000031
【図２９】
2006116363.tif 000032
【図３０】
2006116363.tif 000033
【図３１】
2006116363.tif 000034
【図３２】
2006116363.tif 000035
【図３３】
2006116363.tif 000036
【図３４】
2006116363.tif 000037
【図３５】
2006116363.tif 000038
【図３６】
2006116363.tif 000039
【図３７】
2006116363.tif 000040
【図３８】
2006116363.tif 000041
【図３９】
2006116363.tif 000042
【図４０】
2006116363.tif 000043
【図４１】
2006116363.tif 000044
【図４２】
2006116363.tif 000045
【図４３】
2006116363.tif 000046
【図４４】
2006116363.tif 000047
【図４５】
2006116363.tif 000048
【図４６】
2006116363.tif 000049
【図４７】
2006116363.tif 000050
【図４８】
2006116363.tif 000051
【図４９】
2006116363.tif 000052
【図５０】
2006116363.tif 000053
【図５１】
2006116363.tif 000054
【図５２】
2006116363.tif 000055
【図５３】
2006116363.tif 000056
【図５４】
2006116363.tif 000057
【図５５】
2006116363.tif 000058
【図５６】
2006116363.tif 000059
【図５７】
2006116363.tif 000060
【図５８】
2006116363.tif 000061
【図５９】
2006116363.tif 000062
【図６０】
2006116363.tif 000063
【図６１】
2006116363.tif 000064
【図６２】
2006116363.tif 000065
【図６３】
2006116363.tif 000066
【図６４】
2006116363.tif 000067
【図６５】
2006116363.tif 000068
【図６６】
2006116363.tif 000069
【図６７】
2006116363.tif 000070
【図６８】
2006116363.tif 000071
【図６９】
2006116363.tif 000072
【図７０】
2006116363.tif 000073
【図７１】
2006116363.tif 000074
【図７２】
2006116363.tif 000075
【図７３】
2006116363.tif 000076
【図７４】
2006116363.tif 000077
【図７５】
2006116363.tif 000078
【図７６】
2006116363.tif 000079
【図７７】
2006116363.tif 000080
【図７８】
2006116363.tif 000081
【図７９】
2006116363.tif 000082
【図８０】
2006116363.tif 000083
【図８１】
2006116363.tif 000084
【手続補正書】
【提出日】平成18年2月16日(2006.2.16)
【手続補正１】
【補正対象書類名】特許請求の範囲
【補正対象項目名】全文
【補正方法】変更
【補正の内容】
【特許請求の範囲】
【請求項１】
コアと、
少なくともその一部の周りで前記コアから半径方向に延びる剛毛と、
前記ブラシの剛毛を有する部分の半分未満にわたって延びる少なくとも１つの切り欠きと、を含み、前記ブラシの前記切り欠きを横切る平面の断面が非円形である、ことを特徴とする化粧品を睫毛及び／又は眉毛に塗布するためのブラシ。
【請求項２】
コアと、
少なくともその一部の周りで前記コアから半径方向に延びる剛毛と、
前記剛毛を支える前記ブラシの前記部分に作られている少なくとも１つの切り欠きと、を含み、前記切り欠きの少なくとも１つの領域が、実質的にゼロである長さの剛毛を有することを特徴とする、化粧品を睫毛及び／又は眉毛に塗布するためのブラシ。
【請求項３】
実質的にゼロの長さの剛毛を有するブラシの前記部分は、ブラシの剛毛を支持する部分の長さよりも短い長さにわたってブラシに沿って延びる、ことを特徴とする請求項２に記載のブラシ。
【請求項４】
切り欠きは、ブラシのコアの周囲全体には延びない、ことを特徴とする請求項１に記載のブラシ。
【請求項５】
切り欠きの断面の少なくとも一部は、ブラシに沿って移動すると一定の形状を呈する、ことを特徴とする請求項１に記載のブラシ。
【請求項６】
切り欠き全体の断面は、ブラシに沿って移動すると一定の形状を呈する、ことを特徴とする請求項１に記載のブラシ。
【請求項７】
切り欠きは、円周方向に、少なくとも１つの実質的に半径方向の面により定められる、ことを特徴とする請求項１に記載のブラシ。
【請求項８】
切り欠きは、円周方向に、２つの実質的に半径方向の面により定められる、ことを特徴とする請求項１に記載のブラシ。
【請求項９】
切り欠きは、軸線方向に、ブラシのコアに垂直な平面に対して傾斜する少なくとも１つの面により定められる、ことを特徴とする請求項１に記載のブラシ。
【請求項１０】
切り欠きは、ブラシのコアから離れるに従って広がる２つの面により定められる、ことを特徴とする請求項１に記載のブラシ。
【請求項１１】
コアを横切って延びる断面において、切り欠きは、３６０°未満の範囲の角度をなす、ことを特徴とする請求項１に記載のブラシ。
【請求項１２】
切り欠きは、２０°から２００°までのブラシの軸線の周りの角度の範囲にわたって延びる、ことを特徴とする請求項１に記載のブラシ。
【請求項１３】
切り欠きは、４０°から５０°、１１０°から１３０°、１７０°から１９０°のいずれかであるブラシの軸線の周りの角度の範囲にわたって延びる、ことを特徴とする請求項１に記載のブラシ。
【請求項１４】
切り欠きは、軸線方向寸法よりも大きい円周方向寸法にわたって延びる、ことを特徴とする請求項１に記載のブラシ。
【請求項１５】
切り欠きは、１．５ｍｍから６．５ｍｍまでの範囲にわたってブラシに沿って延びる、ことを特徴とする請求項１に記載のブラシ。
【請求項１６】
切り欠きは、２．５ｍｍよりも長い長さにわたってブラシに沿って延びる、ことを特徴とする請求項１に記載のブラシ。
【請求項１７】
切り欠きは、ブラシの剛毛を支持する部分の長さの４／１０未満にわたって延びる、ことを特徴とする請求項１に記載のブラシ。
【請求項１８】
切り欠きは、ブラシの剛毛を支持する部分の長さの３／１０未満にわたって延びる、ことを特徴とする請求項１に記載のブラシ。
【請求項１９】
ブラシは、少なくとも２つの切り欠きを有する、ことを特徴とする請求項１に記載のブラシ。
【請求項２０】
ブラシは、円周方向にオフセットした少なくとも２つの切り欠きを有する、ことを特徴とする請求項１に記載のブラシ。
【請求項２１】
ブラシは、直径方向に対向する少なくとも２つの切り欠きを有する、ことを特徴とする請求項１に記載のブラシ。
【請求項２２】
ブラシは、軸線方向にオフセットしている少なくとも２つの切り欠きを有する、ことを特徴とする請求項１に記載のブラシ。
【請求項２３】
ブラシは、円周方向及び軸線方向にオフセットした少なくとも２つの切り欠きを有する、ことを特徴とする請求項１に記載のブラシ。
【請求項２４】
ブラシの軸線に垂直な少なくとも１つの平面で見ると、ブラシは、３つの切り欠きを有する、ことを特徴とする請求項１に記載のブラシ。
【請求項２５】
ブラシは、コアから離れて測定した長さが、３．５ｍｍから９ｍｍまでの範囲の剛毛を有する、ことを特徴とする請求項１に記載のブラシ。
【請求項２６】
剛毛は、０．０６ｍｍから０．４ｍｍまでの範囲の直径を有する、ことを特徴とする請求項１に記載のブラシ。
【請求項２７】
ブラシは、その長さの少なくとも一部にわたって、横断面が円形の包絡線表面を有する、ことを特徴とする請求項１に記載のブラシ。
【請求項２８】
円筒形又は円錐形の表面を有する、ことを特徴とする請求項１に記載のブラシ。
【請求項２９】
ブラシは、その長さの少なくとも一部にわたって、横断面が多角形の包絡線表面を有する、ことを特徴とする請求項１に記載のブラシ。
【請求項３０】
切り欠きによって定められる容積は、その外側のブラシの包絡線が定める容積に対して、少なくとも１/２以下である、ことを特徴とする請求項１に記載のブラシ。
【請求項３１】
ブラシは、第２の端部が握り部材に連結されているロッドの第１の端部に連結されている、ことを特徴とする請求項１に記載のブラシ。
【請求項３２】
握り部材は、容器に固定するのに適切なものである、ことを特徴とする請求項３１に記載のブラシ。
【請求項３３】
ブラシは、２つの互いに捩じり合わされたワイヤの枝で構成されたコアを有する、ことを特徴とする請求項１に記載のブラシ。
【請求項３４】
コアは、２つの個別のブラシの個別のコアの一方を他方に巻きつけて形成され、個別のコアは互いに捩られている、ことを特徴とする請求項１に記載のブラシ。
【請求項３５】
ブラシは、複数の切り欠きと、少なくとも１つの捩られたコアを有することができ、軸線方向に測定した切り欠きの間の距離は、コアが捩じられるピッチに相関がなくてもよい、ことを特徴とする請求項１に記載のブラシ。
【請求項３６】
ブラシは、見る方向に対してブラシが第１の方向にある場合は、側面から見ると切り欠きがないように見え、同じ見る方向に対して第２の方向にある場合は、ブラシの上縁及び下縁に実質的に交互に配置された切り欠きがあるように見えるように構成された切り欠きを有し、第２の方向は、ロッドの軸線の周りに、第１の方向から１／４回転ブラシを回転させると得られる、ことを特徴とする請求項１に記載のブラシ。
【請求項３７】
ブラシのコアは、直線ではなく、ロッドの軸線に対して、ブラシの自由端に近づくと大きくなる角度で傾斜する、ことを特徴とする請求項１に記載のブラシ。
【請求項３８】
切り欠きは、ブラシのコアの周り全体に延びる、ことを特徴とする請求項２に記載のブラシ。
【請求項３９】
１つ又は複数の切り欠きは、剛毛を切り取ることにより作られる、ことを特徴とする請求項１に記載のブラシ。
【請求項４０】
１つ又は複数の切り欠きは、剛毛を溶融することにより作られる、ことを特徴とする請求項１に記載のブラシ。
【請求項４１】
請求項１に記載のブラシと、
睫毛及び／又は眉毛に塗布する化粧品を収容する容器と、
を含むことを特徴とする、化粧品をパッケージングすると共に睫毛及び／又は眉毛に化粧品を塗布するパッケージング及びアプリケータ装置。
【請求項４２】
容器は、容器から出るときにブラシを拭き取るためのワイパ部材を有し、ワイパ部材が、化粧品を切り欠きに残すように構成されている、ことを特徴とする請求項４１に記載の装置。
【請求項４３】
ワイパ部材は、少なくともブラシを横断して延びる平面で切り欠きを横切る内側輪郭を有する、ことを特徴とする請求項４２に記載の装置。
【請求項４４】
ワイパ部材は、輪郭が円形のワイパオリフィスを備える、ことを特徴とする請求項４２に記載の装置。
【請求項４５】
ワイパ部材は、コアから測定すると、切り欠きの下側を形成する剛毛の少なくとも一部の長さよりも大きい半径のオリフィスを備える、ことを特徴とする請求項４２に記載の装置。
【請求項４６】
前記ワイパ部材は、エラストマー材製の少なくとも１つのリップを含む、ことを特徴とする請求項４２に記載の装置。
【請求項４７】
前記切り欠きは、剛毛を切り取るか又は溶融することにより作られる、ことを特徴とする請求項１に記載のブラシを製造する方法。
【請求項４８】
睫毛及び／又は眉毛を化粧する方法であって、
マスカラを睫毛及び／又は眉毛に塗布する段階と、
請求項１に記載のブラシを用いて睫毛及び／又は眉毛を梳き、非分離の睫毛及び／又は眉毛の群を形成する段階と、を含む方法。
【請求項４９】
睫毛及び／又は眉毛を化粧する方法であって、請求項１に記載のブラシの突起要素に化粧品を付加して、化粧品が前記突起要素の間に形成された少なくとも１つのギャップに存在するようにする段階と、
化粧品の付加されたギャップを睫毛及び／又は眉毛に接触させて、少なくとも２つの分離されていない睫毛及び／又は眉毛の組を形成する段階と、を含む方法。
【請求項５０】
ブラシに塗布する化粧品を付加する段階であって、前記ブラシは、前記化粧品が蓄積することができる少なくとも１つの切り欠きを呈し、前記切り欠きは、剛毛を支える前記ブラシの一部の長さの半分未満にわたって延びるようになっている段階と、
少なくとも１つの束の分離されていない睫毛及び／又は眉毛を形成するように、前記切り欠き内に収容されている前記化粧品を睫毛及び／又は眉毛に塗布する段階と、
を含むことを特徴とする化粧品を睫毛及び／又は眉毛に塗布する方法。
【請求項５１】
ブラシは、切り欠きに化粧品を残すように構成されているワイパ部材が設けられている容器から出るときに、化粧品が付加される、ことを特徴とする請求項５０に記載の方法。
【請求項５２】
化粧品をパッケージングすると共に睫毛及び／又は眉毛に化粧品を塗布するパッケージング及びアプリケータ装置であって、
睫毛及び／又は眉毛に塗布する化粧品を収容する容器と、
コアと、コアの周り及びコアから延びる剛毛とを含むブラシであって、ブラシは、少なくとも１つの切り欠きを有し、切り欠きを横切る平面の断面が任意の形状を呈するブラシと、
容器から出るときにブラシを拭き取るためのワイパ部材であって、ワイパ部材が、化粧品を切り欠きに残すように構成され、少なくともブラシを横断して延びる平面で切り欠きを横切る内側輪郭を有するワイパ部材と、
を含むパッケージング及びアプリケータ装置。